(57)【特許請求の範囲】
【請求項１】
テレビジョン受像機において、視聴者が視聴を希望する番組の開始前に予告通知をする番組情報通知装置であって、
視聴者の視聴希望番組の番組特定情報を受け付ける受付手段と、
インターバル時間を割り付ける割付手段と、
前記番組特定情報及び前記インターバル時間に基づいて、予告時刻を求める予告時刻演算手段と、
現在時刻を計時する計時手段と、
前記現在時刻が前記予告時刻に到達したか否かを判断する判断手段と、
前記現在時刻が前記予告時刻に到達したとき、前記視聴希望番組開始の予告通知を視聴者に行なう予告通知手段とを備え、
前記予告通知手段は、現在放送中の番組がＣＭに移行したときに前記予告通知を行なうことを特徴とする、番組情報通知装置。
【請求項２】
テレビジョン受像機において、視聴者が視聴を希望する番組に関する通知をする番組情報通知装置であって、
視聴者の視聴希望番組の番組特定情報を受け付ける受付手段と、
現在時刻を計時する計時手段と、
前記現在時刻が前記視聴希望番組の番組開始時刻に到達したか否かを判断する判断手段と、
前記現在時刻が前記番組開始時刻に到達したとき、前記視聴希望番組が開始していることを通知する遅延通知を視聴者に行なう遅延通知手段とを備え、
前記遅延通知手段は、現在放送中の番組がＣＭに移行したときに前記遅延通知を行なうことを特徴とする、番組情報通知装置。
【請求項３】
番組情報信号を含む放送波を受信するテレビジョン受像機において、視聴者が視聴を希望する番組に関する通知をする番組情報通知装置であって、
前記番組情報信号を含む放送波を受信する受信手段と、
視聴者の視聴希望番組の番組特定情報を受け付ける受付手段と、
前記番組情報信号及び前記番組特定情報に基づいて、前記視聴希望番組の放送スケジュール変更を検出する変更検出手段と、
前記放送スケジュール変更を検出したとき、前記視聴希望番組のスケジュール変更通知を視聴者に行なう変更通知手段とを備え、
前記変更通知手段は、現在放送中の番組がＣＭに移行したときに前記スケジュール変更通知を行なうことを特徴とする、番組情報通知装置。
【発明の詳細な説明】
【０００１】
【発明の属する技術分野】
本発明は、番組情報通知装置に関し、より特定的には、視聴者に番組情報を通知する装置に関する。
【０００２】
【従来の技術】
従来、テレビ番組を視聴しようとする視聴者は、事前に新聞や雑誌を参照して視聴を希望する番組を選択し、それらの紙面の番組欄をチェックしておいたり、あるいは放送日時を記憶しておく。その後、番組開始時刻になると、テレビジョン受像機のスイッチを投入して視聴を希望する番組を視聴していた。
【０００３】
【発明が解決しようとする課題】
上記のような方法では、視聴したい番組の管理を専ら視聴者の記憶に依存していたため、視聴者が視聴を希望する番組を見逃してしまうこともあった。特に、ディジタル多チャネル放送が本格的に実施されると、放送局数が急激に増加し、それに伴って放送される番組数も従来に比べて飛躍的に増加するため、視聴者が視聴を希望する番組を一々記憶しておくのは困難になる。
【０００４】
それ故に、本発明の目的は、視聴者が希望する番組を確実に視聴できるような番組情報通知装置を提供することである。
【０００５】
【課題を解決するための手段および発明の効果】
上記目的を達成するために、本発明は以下に述べるような特徴を有している。
【０００６】
本発明は、テレビジョン受像機において、視聴者が視聴を希望する番組の開始前に予告通知をする番組情報通知装置であって、
視聴者の視聴希望番組の番組特定情報を受け付ける受付手段と、
インターバル時間を割り付ける割付手段と、
番組特定情報及びインターバル時間に基づいて、予告時刻を求める予告時刻演算手段と、
現在時刻を計時する計時手段と、
現在時刻が予告時刻に到達したか否かを判断する判断手段と、
現在時刻が予告時刻に到達したとき、視聴希望番組開始の予告通知を視聴者に行なう予告通知手段とを備え、
予告通知手段は、現在放送中の番組がＣＭに移行したときに予告通知を行なうことを特徴とする。
【０００７】
上記のように、本発明によれば、視聴者は、視聴したい番組の開始を予め知ることができる。その結果、見たい番組を見逃すことがなくなる。また、本発明によれば、視聴者は、現在放送中の番組がＣＭに移行したときに、視聴したい番組に関する情報通知を得ることができる。
【０００８】
また、本発明は、テレビジョン受像機において、視聴者が視聴を希望する番組に関する通知をする番組情報通知装置であって、
視聴者の視聴希望番組の番組特定情報を受け付ける受付手段と、
現在時刻を計時する計時手段と、
現在時刻が視聴希望番組の番組開始時刻に到達したか否かを判断する判断手段と、
現在時刻が番組開始時刻に到達したとき、視聴希望番組が開始していることを通知する遅延通知を視聴者に行なう遅延通知手段とを備え、
遅延通知手段は、現在放送中の番組がＣＭに移行したときに遅延通知を行なうことを特徴とする。
【０００９】
上記のように、本発明によれば、視聴者は、視聴を希望する番組がすでに開始していることを知ることができる。また、本発明によれば、視聴者は、現在放送中の番組がＣＭに移行したときに、視聴を希望する番組がすでに開始していることを知ることができる。
【００２９】
また、本発明は、番組情報信号を含む放送波を受信するテレビジョン受像機において、視聴者が視聴を希望する番組に関する通知をする番組情報通知装置であって、
番組情報信号を含む放送波を受信する受信手段と、
視聴者の視聴希望番組の番組特定情報を受け付ける受付手段と、
番組情報信号及び番組特定情報に基づいて、視聴希望番組の放送スケジュール変更を検出する変更検出手段と、
放送スケジュール変更を検出したとき、視聴希望番組のスケジュール変更通知を視聴者に行なう変更通知手段とを備え、
変更通知手段は、現在放送中の番組がＣＭに移行したときにスケジュール変更通知を行なうことを特徴とする。
【００３０】
上記のように、本発明によれば、視聴者は、番組スケジュールの変更を知ることができる。また、本発明によれば、視聴者は、現在放送中の番組がＣＭに移行したときに、番組スケジュールの変更を知ることができる。
【００５５】
【発明の実施の形態】
（第１の実施形態）
図１は、本発明の第１の実施形態に係る、番組情報通知装置を搭載したテレビジョンシステム（以下、システムＴＡＳ１という）の構成を示すブロック図である。
【００５６】
図１に示すシステムＴＡＳ１において、アンテナ１が受信する放送波のソースは、地上波放送局、ＣＳ、ＢＳでもよいし、ＣＡＴＶでもよい。チューナ２は、アンテナ１が受信した電波から特定の周波数の放送波を選択する。復調部３は、チューナ２が選択した特定の周波数の放送波を復調する。映像音声信号復調部４は、復調部３が復調した放送波Ｓｂから映像信号と音声信号とを復調して、表示内容重畳部５とデータバス６０５に出力する。表示内容重畳部５は、映像音声信号復調部４が復調した映像音声信号に、番組情報通知部６００が生成した映像音声信号を重畳する。表示制御部６は、表示内容重畳部５から出力される映像音声信号を、モニタ７の画面に映像を表示させるための映像信号と、モニタ７のスピーカから音声を発生させるための音声信号とに分離する。モニタ７は、表示制御部６が分離した映像信号と音声信号とに基づいて、映像を画面上に表示し、かつ、スピーカから音声を発生させる。
【００５７】
次に、番組情報通知部６００の構成について説明する。リモコン９から入力されるコマンドは、操作入力制御部６０１が受信する。番組情報記憶部６０２は、視聴者がリモコン９を操作して入力した視聴希望番組の番組開始時刻Ｔｓと、インターバル時間Ｔａｄと、予告通知開始時刻Ｔａｎ（番組開始時刻Ｔｓからインターバル時間Ｔａｄを減算して得られる時刻）とを記憶する。
【００５８】
現在時刻発生部６０３は、後に述べる予告通知表示と遅延通知表示とを行うための基準となる現在時刻Ｔｒを発生する。通知時刻検出部６０８は、現在時刻発生部６０３が発生する現在時刻Ｔｒと、視聴者が入力した番組開始時刻Ｔｓと、予告通知開始時刻Ｔａｎとを比較して、その差異を検出する。予告番組重複検出部６１１は、視聴者が入力した番組開始時刻Ｔｓと、すでに番組情報記憶部６０２に記憶されている番組開始時刻Ｔｓｒとを比較し、さらに、視聴者が入力した放送局のチャネルと、すでに番組情報記憶部６０２に記憶されている放送局のチャネルＳｔｒとを比較する。比較した結果、番組開始時刻Ｔｓと記憶されている番組開始時刻Ｔｓｒとが等しく、かつ、放送局のチャネルＳｔとＳｔｒとが等しければ、予告番組重複検出部６１１は、予告番組の重複を検出し、予告番組重複信号Ｓｄｂ１を生成する。
【００５９】
予告通知部６０９は、予告通知開始時刻Ｔａｎが到来すると、予告通知信号を生成すると同時に、インターバル時間Ｔａｄのダウンカウントを開始する。このダウンカウントは、番組開始時刻Ｔｓまで継続して行われるが、視聴者がリモコン９を操作することによってキャンセルすることができる。遅延通知部６１０は、現在時刻Ｔｒが番組開始時刻Ｔｓを経過すると、遅延通知信号を生成すると同時に、遅延時間Ｔｄのアップカウントを開始する。このアップカウントは、番組放送時間Ｅｄの間、継続して行われるが、視聴者がリモコン９を操作することによって、途中でキャンセルすることができる。通知内容選択部６１２は、予告番組重複検出部６１１が生成する予約重複信号Ｓｄｂ１、予告通知部６０９が生成する予告通知信号、または遅延通知部６１０が生成する遅延通知信号にそれぞれ対応した通知内容を、予め格納されている通知内容から選択する。
【００６０】
映像音声信号生成部６１３は、通知内容選択部６１２が選択した通知内容を、モニタ７の画面及びスピーカを通じて、視聴者に視覚的及び聴覚的に通知するための映像音声信号を生成する。ＣＰＵ６０６は、番組情報通知部６００全体の動作を制御している。ＲＯＭ６０４は、ＣＰＵ６０６の制御動作のためのプログラムを格納している。ＲＡＭ６０７は、ＣＰＵ６０６が上記プログラムを実行するときに必要となるデータを記憶する。データバス６０５は、操作入力制御部６０１と、番組情報記憶部６０２と、現在時刻発生部６０３と、通知時刻検出部６０８と、予告通知部６０９と、遅延通知部６１０と、予告番組重複検出部６１１と、通知内容選択部６１２と、映像音声信号生成部６１３と、ＣＰＵ６０６と、ＲＯＭ６０４と、ＲＡＭ６０７とを相互に接続する。
【００６１】
図２は、図１に示す番組情報通知部６００の動作を示すフローチャートである。以下、この図２を参照して、番組情報通知部６００の動作を説明する。
【００６２】
まず、視聴者は、リモコン９を操作して、予告希望番組の開始時刻Ｔｓと放送局のチャネルＳｔとを入力する。入力された開始時刻Ｔｓと放送局のチャネルＳｔとは、操作入力制御部６０１によって受信された後、番組情報記憶部６０２に記憶される（ステップＳ１０１）。ここで、本実施形態においては、アンテナ１で受信する放送波Ｓｂには、視聴者が通知を希望する番組に関する情報（以下、予告予告番組情報という）が含まれていないので、視聴者は、事前に予告通知を希望する番組の開始時刻Ｔｓを、新聞や雑誌等の他のコンテンツを参照しながら入力する。
【００６３】
次に、予告番組重複検出部６１１は、そのとき視聴者が入力した番組開始時刻Ｔｓと、すでに番組情報記憶部６０２に記憶されている番組開始時刻Ｔｓｒとを比較し、さらに、そのとき視聴者が入力した予告希望番組の放送局のチャネルＳｔと、すでに番組情報記憶部６０２に記憶されている放送局のチャネルＳｔｒとを比較し、その一致／不一致を判断する（ステップＳ１０２）。この比較の結果、新たに入力された番組開始時刻Ｔｓと、すでに記憶さている番組開始時刻Ｔｓｒとが等しく、かつ、予告希望番組の放送局のチャネルＳｔとすでに記憶されている放送局のチャネルＳｔｒとが等しければ、予告番組重複検出部６１１は、予告番組重複信号Ｓｄｂ１を生成し、通知内容選択部６１２に出力する（ステップＳ１０３）。通知内容選択部６１２は、受け取った予告番組重複信号Ｓｄｂ１に応答して、自身の内部に予め格納されている複数の通知内容の中から、番組重複を示すための通知内容を選択し、選択した通知内容を映像音声信号生成部６１３に出力する。当該通知内容を受け取った映像音声信号生成部６１３は、当該通知内容をモニタ７で通知するための映像音声信号を生成する（ステップＳ１０４）。
応じて、モニタ７は、当該映像音声信号に基づいて、画面上に映像を表示し、スピーカによって音声を発生させることにより、視聴者に予告番組の重複を通知する。
【００６４】
一方、ステップＳ１０２での比較の結果、予告番組が重複していないと判断された場合、番組情報記憶部６０２は、視聴者によって入力された番組開始時刻Ｔｓを、番組開始時刻Ｔｓｒとして記憶し、さらに、視聴者によって入力された放送局のチャネルＳｔを、放送局のチャネルＳｔｒとして記憶する（ステップＳ１０５）。
【００６５】
次に、視聴者は、リモコン９を操作して、番組の予告通知を、時間的にみて番組開始のどれくらい前から行うべきかを規定するためのインターバル時間Ｔａｄを入力する。応じて、番組情報記憶部６０２は、当該入力されたインターバル時間Ｔａｄを記憶する（ステップＳ１０６）。このとき、インターバル時間Ｔａｄは、例えば、５分前、１０分前というように、予め準備された選択肢として与えられていてもよいし、視聴者がリモコン９を操作するなどして任意に設定できるようにしてもよい。このようにして視聴者がインターバル時間Ｔａｄを入力すると、ＣＰＵ６０６は、番組開始時刻Ｔｓからインターバル時間Ｔａｄを減算することにより、予告通知開始時刻Ｔａｎを算出する。ＣＰＵ６０６が算出した予告通知開始時刻Ｔａｎは、番組情報記憶部６０２に記憶される（ステップＳ１０７）。
【００６６】
次に、通知時刻検出部６０８と予告通知部６０９とによって予告通知処理が実行される（ステップＳ２００）。このサブルーチンステップＳ２００の詳細は、図３に示されている。
【００６７】
図３を参照して、通知時刻検出部６０８は、まず、現在時刻発生部６０３が発生する現在時刻Ｔｒと、視聴者が入力した予告通知開始時刻Ｔａｎとを比較する（ステップＳ２０１）。通知時刻検出部６０８は、現在時刻Ｔｒが予告通知開始時刻Ｔａｎに達する前は、ステップＳ２０１の判断処理を繰り返して行う。現在時刻Ｔｒが予告通知開始時刻Ｔａｎに達すると、通知時刻検出部６０８は、予告通知処理を開始させるための第１のトリガ信号を生成し、当該第１のトリガ信号を、データバス６０５を介して予告通知部６０９に出力する。予告通知部６０９は、データバス６０５から第１のトリガ信号が入力されると、まず、カウンタ値Ｎに初期値として０を設定する（ステップＳ２０２）。次に、予告通知部６０９は、インターバル時間Ｔａｄからカウンタ値Ｎを減算し、その結果を残存インターバル時間Ｔａｄとして記憶する（ステップＳ２０３）。次に、ＣＰＵ６０６は、通知条件が満たされているか否かを判断する（ステップＳ２０４）。通知条件とは、視聴者が、テレビジョン受像器の電源をＯＦＦからＯＮにしたこと、または、視聴者が視聴している番組が、ＣＭに移行したことである。通知条件が満たされていないと、ステップは進行せず、予告通知に係る信号生成動作は待機状態になる。一方、通知条件が満たされている場合、次に、予告通知部６０９は、予告通知信号を生成し、当該予告通知信号を、データバス６０５を介して通知内容選択部６１２に出力する。通知内容選択部６１２は、予め格納されている複数の通知内容から、予告通知に対応した通知内容を選択して映像音声信号生成部６１３に出力する（ステップＳ２０５）。
【００６８】
次に、予告通知部６０９は、カウンタ値Ｎに単位値Ｃ１を加算する（ステップＳ２０６）。ここで、単位値Ｃ１は、単位時間に相当する値である。次に、予告通知部６０９は、視聴者が予告通知のキャンセルを行ったか否かを判断する（ステップＳ２０７）。本実施形態では、視聴予定を途中で変更したい場合や、視聴者が予告通知を確認した後に依然として予告通知が画面に表示されることの煩雑さ等を考慮して、視聴者は、リモコン９を通じて予告通知をキャンセルできるようになっている。視聴者が予告通知のキャンセルを行った場合、予告通知部６０９は、ダウンカウントを含む予告通知画面の表示を直ちに終了させる。一方、予告通知のキャンセルが行われなかった場合、予告通知部６０９は、残存インターバル時間Ｔａｄが０になるまで、インターバル時間Ｔａｄのダウンカウントを継続する（ステップＳ２０３〜Ｓ２０８）。なお、予告通知画面の表示は、ダウンカウントを行わず静止画面とし、番組タイトル等の番組情報を番組開始まで表示するとしてもよい。ステップＳ２０８において、インターバル時間Ｔａｄが０になったことが判断されると、すなわち番組開始時刻Ｔｓが到来すると、通知時刻検出部６０８は、遅延通知を開始させるための第２のトリガ信号を生成し、当該第２のトリガ信号を、データバス６０５を介して遅延通知部６１０に出力する。その後、図３に示す予告通知処理が終了し、システムの動作が図２のメインルーチンに戻る。
【００６９】
再び図２を参照して、遅延通知部６１０は、データバス６０５から第２のトリガ信号が入力されると、遅延通知処理の実行を開始する（ステップＳ３００）。このサブルーチンステップＳ３００の詳細は、図４に示されている。
【００７０】
図４を参照して、遅延通知部６１０は、まず、カウンタ値Ｎに初期値として単位値Ｃ１を設定する（ステップＳ３０１）。次に、遅延通知部６１０は、遅延時間Ｔｄとして、カウンタ値Ｎを設定して記憶する（ステップＳ３０２）。ここで、遅延時間Ｔｄとは、放送開始時刻Ｔｓからの経過時間である。次に、ＣＰＵ６０６は、通知条件が満たされているか否かを判断する（ステップＳ３０３）。通知条件とは、視聴者が、テレビジョン受像器の電源をＯＦＦからＯＮにしたこと、または、視聴者が視聴している番組が、ＣＭに移行したことである。通知条件が満たされていないと、ステップは進行せず、遅延通知に係る信号生成動作は待機状態になる。一方、通知条件が満たされている場合は、次に、遅延通知部６１０は、遅延通知信号を生成し、当該遅延通知信号を、データバス６０５を介して通知内容選択部６１２に出力する。通知内容選択部６１２は、予め格納されている複数の通知内容から、遅延通知に対応した通知内容を選択して映像音声信号生成部６１３に出力する（ステップＳ３０４）。後に詳述するが、遅延通知の一例が図６（ｄ）に示されている。遅延通知部６１０は、ステップＳ３０１で単位値Ｃ１の初期値が与えられたカウント値Ｎに、単位値Ｃ１を加算する（ステップＳ３０５）。本実施形態では、予告通知のキャンセルの場合と同様の理由から、視聴者は、リモコン９を通じて遅延通知をキャンセルすることができるようになっている。視聴者が遅延通知のキャンセルを行った場合、遅延通知部６１０は、アップカウントを含む遅延通知画面の表示を直ちに終了させる。一方、遅延通知のキャンセルが行われなかった場合、遅延通知部６１０は、遅延時間Ｔｄが番組放送時間Ｅｄと一致するまでの間、アップカウントを継続する（ステップＳ３０２〜Ｓ３０７）。ステップＳ３０７において、遅延時間Ｔｄが番組放送時間Ｅｄと一致したことが判断されると、すなわち番組終了時刻が到来すると、システムの動作が図２のメインルーチンに戻り、遅延通知処理が終了する。なお、遅延通知画面の表示は、アップカウントを行わず静止画面とし、番組タイトル等の番組情報を、番組が開始していることを示すメッセージとともに表示するとしてもよい。
【００７１】
図５は、現在時刻発生部６０３が発生させる現在時刻Ｔｒを時間軸として、視聴者がリモコン９を操作して入力した、配信予告通知開始時刻Ｔａｎと、番組開始時刻Ｔｓと、インターバル時間Ｔａｄとを当該時間軸上に示した、タイムテーブルである。なお、図５において、時間軸Ｔｒの下に描いた通知内容▲１▼から▲５▼は、通知時刻以前▲１▼と、通知時刻▲２▼と、予告時間▲３▼と、番組開始時刻▲４▼と、番組開始時刻以後▲５▼とを、それぞれ示している。図６は、予告番組重複表示と、予告通知表示と、ダウンカウント表示と、遅延通知表示との一例をそれぞれ示している。次に、図５及び図６を参照して、図１に示す実施形態のより具体的な動作について説明する。
【００７２】
まず、通知内容▲１▼から▲５▼のそれぞれにおける通知の内容について、図６を参照して説明する。通知時刻以前▲１▼において、視聴者が通知を希望する番組のデータを入力したときに、現に入力された番組とすでに番組情報記憶部６０２に記憶されている番組との間に重複が生じると、予告番組重複検出部６１１は、予告番組重複信号を生成し、予告番組が重複している旨を、モニタ７を介して視聴者に通知する。予告番組の重複通知の一例は、図６（ａ）に示した通りである。一方、上記のような番組の重複がなく、入力された通知希望番組の設定情報が番組情報通知部６００に受け付けられると、当該設定情報は、番組情報記憶部６０２によって記憶される。その後、現在時刻Ｔｒが予告通知開始時刻Ｔａｎに到達すると、予告通知部６０９によって予告通知が行われる。予告通知の通知内容▲２▼の一例は、図６（ｂ）に示した通りである。予告通知が行われた後、モニタ７の表示画面は、図６（ｃ）に示すダウンカウント表示に切り変わる（通知内容▲３▼）。通知内容▲３▼のダウンカウント表示が行われる時間は、インターバル時間Ｔａｄである。インターバル時間Ｔａｄが経過し、番組開始時刻Ｔｓが到来するか、または視聴者がリモコン９を操作して予告通知をキャンセルすることにより、ダウンカウント表示は終了する。
【００７３】
番組開始時刻Ｔｓが到来すると、予告通知に代えて、遅延通知が行われる（通知内容▲４▼）。この遅延通知の表示内容の一例が、図６（ｄ）に示されている。以後、遅延通知の一部には、番組開始時刻Ｔｓからの経過時間が表示される（通知内容▲５▼）。すなわち、遅延通知には、例えば、１分ごとに経過時間が表示される。当該遅延通知の表示は、視聴者がリモコン９を操作して遅延通知をキャンセルすることにより終了する。視聴者によるキャンセルが行われない場合、遅延通知は、番組放送時間Ｅｄが終了するまで継続する（ステップＳ３０６）。
【００７４】
なお、本実施例において、予告番組重複検出部６１１が、予告番組重複を検出したときは、視聴者が行う予告番組の番組情報の入力を禁止する旨を通知するとしたがこの限りではない。ＣＰＵ６０６は、視聴者が行う当該入力を受け付け、番組情報記憶部６０２に既に記憶されている番組情報を消去し、視聴者によって新たに入力された番組情報を番組情報記憶部６０２に記憶させるとしてもよい。また、本実施例において、予告番組重複通知と予告通知と遅延通知とはモニタ７の画面表示と音声との両方で行われるとしたが、いずれか一方によって通知を行うとしてもよい。また、本実施例において、この予告番組重複検出は、そのとき視聴者が入力した番組開始時刻Ｔｓと、すでに番組情報記憶部６０２に記憶されている番組開始時刻Ｔｓｒとを比較し、さらに、そのとき視聴者が入力した予告希望番組の放送局のチャネルＳｔと、すでに番組情報記憶部６０２に記憶されている放送局のチャネルＳｔｒと比較し、その一致／不一致を判断していたが、番組開始時刻ＴｓとＴｓｒとの比較のみをしてその一致／不一致を判断するとしてもよい。
【００７５】
（第２の実施形態）
図７は、本発明の第２の実施形態に係る、番組情報通知装置を搭載したテレビジョンシステム（以下、システムＴＡＳ２という）の構成を示すブロック図である。この図７に示すシステムＴＡＳ２は、以下の点を除いて図１に示す番組情報通知装置ＴＡＳ１と同様の構成であり、相当する部分には同一の参照番号を付し、その詳細な説明を省略する。
【００７６】
図７において、本実施形態のシステムＴＡＳ２では、復調部３の後段に、番組情報信号抜取部１０及びエラー訂正部１１が追加されている。これら番組情報信号抜取部１０及びエラー訂正部１１は、チューナ２及び復調部３と協働して、番組情報受信部１２を構成している。本実施形態では、アンテナ１で受信する放送波にはＥＰＧ（エレクトロニック・プログラム・ガイド）と呼ばれる番組情報信号Ｓｅｐｇ１が含まれている。番組情報信号抜取部１０は、上記放送波から番組情報信号Ｓｅｐｇ１を抜き取る。エラー訂正部１１は、抜き取られた番組情報信号Ｓｅｐｇ１のエラー訂正処理を行い、データバス７０５へ出力する。
【００７７】
また、本実施形態のシステムＴＡＳ２では、第１の実施形態の番組情報通知部６００に代えて、番組情報通知部７００が設けられている。この番組情報通知部７００は、操作入力制御部７０１と、番組映像情報生成部７０２と、番組情報記憶部７０３と、現在時刻発生部６０３と、ＲＯＭ７０４と、ＣＰＵ７０６と、ＲＡＭ７０７と、通知時刻検出部６０８と、予告通知部６０９と、遅延通知部６１０と、番組開始時刻変更検出部７０８と、予告番組重複検出部７０９と、通知内容選択部７１０と、映像音声信号生成部７１１とを備えている。以下、それぞれについて説明する。
【００７８】
操作入力制御部７０１は、リモコン１９から入力されるコマンドを受信する。番組映像情報生成部７０２は、データバス７０５を介して入力される番組情報信号Ｓｅｐｇ１に基づいて、当該生成された映像情報に基づいて、映像音声信号生成部７１１は、モニタ７に番組表を表示するための映像信号を生成する。視聴者は、まず、モニタ７に表示された番組表を参照して、放送番組を一覧しながら、視聴を希望する番組を予めチェックしておくことができる。その後、視聴者は、番組表を見てチェックしておいた予告希望番組を、本実施形態の番組情報通知装置に入力するために、リモコン１９を用いて画面切り換えの操作を行う。視聴者が画面切り換えの操作を行うと、操作入力制御部７０１から画面切り換えのコマンドが出力され、当該コマンドがデータバス７０５を介して番組映像情報生成部７０２に入力される。応じて、番組映像情報生成部７０２は、上記番組表を入力画面に切り換える。視聴者は、当該入力画面を参照しながら、予告希望番組に係る番組特定情報の入力を行う。
【００７９】
番組情報記憶部７０３は、視聴者が入力画面を参照しながらリモコン１９を操作して入力した予告希望番組の番組特定情報、すなわち本実施形態では、番組開始時刻Ｔｓと、当該番組を放送する放送局のチャネルＳｔと、予告時間Ｔａｄと、番組情報記憶部７０３が算出した予告通知時刻Ｔａｎとを記憶する。
【００８０】
予告番組重複検出部７０９は、視聴者が入力した番組開始時刻Ｔｓと、すでに番組情報記憶部７０３に記憶されている番組開始時刻Ｔｓｒとを比較し、さらに、視聴者が入力した放送局のチャネルＳｔと、すでに番組情報記憶部７０３に記憶されている放送局のチャネルＳｔｒとを比較する。比較した結果、番組開始時刻ＴｓとＴｓｒとが等しく、かつ、放送局のチャネルＳｔとＳｔｒとが等しければ、予告番組重複検出部７０９は、予告番組の重複を検出し、予告番組重複信号Ｓｄｂ２を生成する。
【００８１】
番組開始時刻変更検出部７０８は、視聴者が現に入力した番組開始時刻Ｔｓと、番組情報信号Ｓｅｐｇ１に含まれる番組開始時刻Ｔｓ’とを、常にリアルタイムに比較している。放送局側の都合で番組開始時刻が変更され、その結果、番組開始時刻ＴｓとＴｓ’が一致しない状態になると、番組開始時刻変更検出部７０８は、番組開始時刻の変更を検出して、番組開始時刻変更信号を生成する。
【００８２】
現在時刻発生部６０３と、通知時刻検出部６０８と、予告通知部６０９と、遅延通知部６１０とについては、第１の実施形態におけるそれらと同様の構成であるので参照番号を同一とし、それらの詳細な説明は省略する。
【００８３】
通知内容選択部７１０は、予告番組重複検出部７０９が生成する予告番組重複信号Ｓｄｂ２、予告通知部６０９が生成する予告通知信号、遅延通知部６１０が生成する遅延通知信号、または番組開始時刻変更検出部７０８が生成する番組開始時刻変更信号にそれぞれ対応した通知内容を、予め格納されている複数の通知内容から選択する。映像音声信号生成部７１１は、通知内容選択部７１０が選択した通知内容を、モニタ７の画面及びスピーカを通じて、視聴者に視覚的及び聴覚的に通知するための映像音声信号を生成する。
【００８４】
ＣＰＵ７０６は、番組情報通知部７００全体の動作を制御している。ＲＯＭ７０４は、ＣＰＵ７０６の制御動作のためのプログラムを格納している。ＲＡＭ７０７は、ＣＰＵ７０６が上記プログラムを実行するときに必要となるデータを記憶する。データバス７０５は、操作入力制御部７０１と、番組映像情報生成部７０２と、番組情報記憶部７０３と、現在時刻発生部６０３と、通知時刻検出部６０８と、予告通知部６０９と、遅延通知部６１０と、番組開始時刻変更検出部７０８と、予告番組重複検出部７０９と、通知内容選択部７１０と、映像音声信号生成部７１１と、ＣＰＵ７０６と、ＲＯＭ７０４と、ＲＡＭ７０７とを相互に接続する。
【００８５】
図８及び図９は、本実施形態における番組情報通知部７００の動作を示すフローチャートである。次に、これら図８及び図９を参照して、番組情報通知部７００の動作について説明する。
【００８６】
まず、番組映像情報生成部７０２は、アンテナ１が受信した放送波に含まれる番組情報信号Ｓｅｐｇ１に基づいて、番組表を表示するための映像情報を生成する（ステップＳ４００）。このサブルーチンステップＳ４００の詳細は、図１０に示されている。
【００８７】
図１０において、番組映像情報生成部７０２は、まず、図１１に示した放送波に含まれる番組情報から必要な情報を抜き取る（ステップＳ４０１）。ここで言う必要な情報としては、視聴者が予告通知を希望する番組の放送日、当該番組を放送する放送局のチャネル、放送開始時刻、放送終了時刻、番組タイトル等が挙げられる。次に、番組映像情報生成部７０２は、抜き取った当該番組データを記憶する（ステップＳ４０２）。番組映像情報生成部７０２は、視聴者の表示命令を検出するまでの間は、当該番組データを記憶したまま待機している（ステップＳ４０３）。視聴者の表示命令を検出すると、番組映像情報生成部７０２は、番組表を表示するための映像情報を生成し、データバス７０５に当該映像情報を出力する（ステップＳ４０４）。映像音声信号生成部７１１は、データバス７０５を介して入力した映像情報に基づいて映像信号を生成し、当該映像信号を表示内容重畳部５に出力する。応じて、モニタ７は、番組表を表示する。ここで表示される番組表の一例を図１２に示した。視聴者は、この番組表を概観することによって、放送番組を容易に把握することができる。上記ステップＳ４０４の処理が終了すると、図１０に示す映像情報生成処理が終了し、番組情報通知部７００の動作は、図８のメインルーチンに戻る。
【００８８】
再び図８を参照して、視聴者は、予告通知を希望する番組特定情報を入力しようとするときは、リモコン１９を操作することにより、モニタ７に表示されている番組表（図１２参照）を入力画面に切り換える指示を番組情報通知部７００に与える。この切換指示に応答して、番組映像情報生成部７０２は、モニタ７の表示画面を、図１２に示す単なる番組表の表示画面から、図１３に示す入力画面に切り換える処理を行う（ステップＳ４１０）。すなわち、番組映像情報生成部７０２は、入力画面を表示するための映像情報を生成してデータバス７０５に出力する。図１３に示すように、入力画面は、図１２と同様の番組表に加えて、視聴者が入力した番組特定情報を確認のために表示する確認表示領域を含む。次に、視聴者がリモコン１９を操作して、番組特定情報（予告希望番組を放送する放送局のチャネルＳｔ、放送開始時刻Ｔｓ、インターバル時間Ｔａｄ）を入力すると、番組情報通知部７００が当該番組情報を受信し、ＣＰＵ７０６がその受信情報を予告希望番組情報として受け付ける（ステップＳ４１１）。ＣＰＵ７０６が受け付けた予告希望番組情報は、番組情報記憶部７０３に記憶され（ステップＳ４１２）、図１３の入力画面の下部、すなわち前述した確認表示領域に表示される（ステップＳ４１３）。このように、予告番組に関する情報を確認表示領域に表示することによって、視聴者は、予告希望番組が正しく入力できたか否かを、容易に確認することができる。予告希望番組が正しく入力されている場合、視聴者は、リモコン１９を操作して、通知セットを行う。ＣＰＵ７０６は、当該通知セットを受け取ると（ステップＳ４１４）、ステップＳ４１１で受け付けた予告希望番組情報、すなわち放送局のチャネルＳｔと、番組開始時刻Ｔｓと、インターバル時間Ｔａｄとを、番組情報記憶部７０３に格納する（ステップＳ４１５）。なお、入力画面の確認表示領域に表示された内容と、視聴者の意思とが異なっていれば、視聴者は、ステップＳ４１１に戻って、再度、番組情報を入力することができる。
【００８９】
次に、予告番組重複検出部７０９は、そのとき視聴者が入力した番組開始時刻Ｔｓと、すでに番組情報記憶部７０３に記憶されている番組開始時刻Ｔｓｒとを比較し、さらに、そのとき視聴者が入力した予告希望番組の放送局のチャネルＳｔと、すでに番組情報記憶部７０３に記憶されている放送局のチャネルＳｔｒとを比較し、その一致／不一致を判断する（ステップＳ４１６）。この比較の結果、番組開始時刻Ｔｓと、すでに記憶されている番組開始時刻Ｔｓｒとが等しく、かつ、予告希望番組の放送局のチャネルＳｔと、すでに記憶されている放送局のチャネルＳｔｒとが等しければ、予告番組重複検出部７０９は、予告番組重複信号Ｓｄｂ２を生成し、通知内容選択部７１０に出力する（ステップＳ４１７）。通知内容選択部７１０は、受け取った予告番組重複信号Ｓｄｂ２に応答して、自信の内部に予め格納されている複数の通知内容の中から、番組重複を示すための通知内容を選択し、選択した通知内容を映像音声信号生成部７１１に出力する。当該通知内容を受け取った映像音声信号生成部７１１は、当該通知内容をモニタ７で通知するための映像音声信号を生成する（ステップＳ４１８）。応じて、モニタ７は、当該映像音声信号に基づいて、画面上に映像を表示し、スピーカによって音声を発生させて、視聴者に予告番組の重複を通知する。
【００９０】
一方、ステップＳ４１６での比較の結果、予告番組が重複していないと判断された場合、番組情報記憶部７０２は、視聴者によって入力された番組開始時刻Ｔｓを、番組開始時刻Ｔｓｒとして記憶し、さらに、視聴者によって入力された放送局のチャネルＳｔを、放送局のチャネルＳｔｒとして記憶する（ステップＳ４１９）。
【００９１】
次に、図９を参照して、本実施形態における番組開始時刻変更通知について説明する。まず、本実施形態では、受信する放送波には番組情報信号Ｓｅｐｇ１が含まれている。この番組情報信号Ｓｅｐｇ１には、番組開始時刻を示す情報を含めることが可能である。本実施形態で受信する番組情報信号Ｓｅｐｇ１には、番組開始時刻情報Ｔｓ’が含まれている。ここで、番組開始時刻Ｔｓ’に変更がない状態では、視聴者が入力した番組開始時刻Ｔｓと、番組情報信号Ｓｅｐｇ１に含まれている番組開始時刻Ｔｓ’との一致関係が成立している。従って、番組開始時刻変更検出部７０８は、視聴者が入力した番組開始時刻Ｔｓと、番組情報信号Ｓｅｐｇ１中の番組開始時刻Ｔｓ’とを比較することにより、番組開始時刻Ｔｓ’が変更されたか否かを判断する（ステップＳ４２０）。この判断の結果、番組開始時刻Ｔｓ’が変更された場合、次に、ＣＰＵ７０６は、通知条件が満たされているか否かを判断する（ステップＳ４２１）。通知条件とは、視聴者が、テレビジョン受像器の電源をＯＦＦからＯＮにしたこと、または、視聴者が視聴している番組が、ＣＭに移行したことである。通知条件が満たされていないと、ステップは進行せず、番組開始時刻変更通知に係る信号生成動作は待機状態になる。一方、通知条件が満たされている場合、次に、番組開始時刻変更検出部７０８は、番組開始時刻変更信号を生成する（ステップＳ４２２）。
【００９２】
当該番組開始時刻変更信号に応答して、通知内容選択部７１０は、自信の内部に予め格納されている複数の通知内容の中から、番組開始時刻の変更を示すための通知内容を選択し、データバス７０５を介して、映像音声信号生成部７１１に出力する（ステップＳ４２３）。当該通知内容を受け取った映像音声信号生成部７１１は、当該通知内容をモニタ７で通知するための映像音声信号を生成する。応じて、モニタ７は、当該映像音声信号に基づいて、画面上に映像を表示し、スピーカによって音声を発生させて、視聴者に予告番組開始時刻の変更を通知する。図１４は、当該通知内容の表示例を示している。
【００９３】
なお、本実施例において、予告番組重複検出部７０９が、予告番組重複を検出したときは、視聴者が行う予告番組の番組情報の入力を禁止する旨を通知するとしたがこの限りではない。ＣＰＵ７０６は、視聴者が行う当該入力を受け付け、番組情報記憶部７０３に既に記憶されている番組情報を消去し、視聴者によって新たに入力された番組情報を番組情報記憶部７０３に記憶させるとしてもよい。また、本実施例において、予告番組重複通知と予告通知と遅延通知と番組開始時刻変更通知とはモニタ７の画面表示と音声との両方で行われるとしたが、いずれか一方によって通知を行うとしてもよい。また、本実施例において、この予告番組重複検出は、そのとき視聴者が入力した番組開始時刻Ｔｓと、すでに番組情報記憶部７０３に記憶されている番組開始時刻Ｔｓｒとを比較し、さらに、そのとき視聴者が入力した予告希望番組の放送局のチャネルＳｔと、すでに番組情報記憶部７０３に記憶されている放送局のチャネルＳｔｒと比較し、その一致／不一致を判断していたが、番組開始時刻ＴｓとＴｓｒとの比較のみをしてその一致／不一致を判断するとしてもよい。
【００９４】
（第３の実施の形態）
図１５は、本発明の第３の実施形態に係る、番組情報通知装置を搭載したテレビジョンシステム（以下、システムＴＡＳ３）の構成を示すブロック図である。この図１７に示すシステムＴＡＳ３は、以下の点を除いて図７に示すシステムＴＡＳ２と同様の構成であり、相当する部分には同一の参照番号を付し、その詳細な説明を省略する。
【００９５】
図１５において、本実施形態ではアンテナ１で受信する放送波にはＥＰＧ（エレクトロニック・プログラム・ガイド）と呼ばれる番組情報信号Ｓｅｐｇ２が含まれている。番組情報信号抜取部１０は、当該放送波から番組情報信号Ｓｅｐｇ２を抜き取る。エラー訂正部１１は、抜き取られた番組情報信号Ｓｅｐｇ２のエラー訂正処理を行い、データバス８０５に出力する。
【００９６】
また、本実施形態のシステムＴＡＳ３では、第２の実施形態の番組情報通知部７００に代えて、番組情報通知部８００が設けられている。この番組情報通知部８００は、操作入力制御部８０１と、番組映像情報生成部８０２と、番組情報記憶部８０３と、現在時刻発生部６０３と、ＲＯＭ８０４と、ＣＰＵ８０６と、ＲＡＭ８０７と、通知時刻検出部６０８と、予告通知部６０９と、遅延通知部６１０と、予告番組内容変更検出部８０８と、予告番組重複検出部８０９と、通知内容選択部８１０と、映像音声信号生成部８１１とを備えている。以下、それぞれについて説明する。
【００９７】
操作入力制御部８０１は、リモコン２９から入力されるコマンドを受信する。番組映像情報生成部８０２は、データバス８０５を介して入力される番組情報信号Ｓｅｐｇ２に基づいて、当該生成された映像情報に基づいて、映像音声信号生成部８１１は、モニタ７に番組表を表示するための映像信号を生成する。視聴者は、まず、モニタ７に表示された番組表を参照して、放送番組を一覧しながら、視聴を希望する番組を予めチェックしておくことができる。その後、視聴者は、番組表を見てチェックしておいた予告希望番組を、本実施形態の番組情報通知装置に入力するために、リモコン２９を用いて画面切り換えの操作を行う。視聴者が、画面切り換えの操作を行うと、操作入力制御部８０１から画面切り換えのコマンドが出力され、当該コマンドがデータバス８０５を介して番組映像情報生成部８０２に入力される。応じて、番組映像情報生成部８０２は、上記番組表を入力画面に切り換える。視聴者は、当該入力画面を参照しながら、予告希望番組に係る番組特定情報の入力を行う。
【００９８】
番組情報記憶部８０３は、視聴者が入力画面を参照しながらリモコン２９を操作して入力した予告希望番組の番組特定情報、すなわち本実施形態では、番組開始時刻Ｔｓと、当該番組を放送する放送局のチャネルＳｔと、番組ＩＤと、予告時間Ｔａｄと、番組情報記憶部８０３が算出した予告通知時間Ｔａｎとを記憶する。
【００９９】
予告番組重複検出部８０９は、視聴者が入力した番組開始時刻Ｔｓと、すでに番組情報記憶部８０３に記憶されている番組開始時刻Ｔｓｒとを比較し、さらに視聴者が入力した予告希望番組を放送する放送局のチャネルＳｔと、すでに番組情報記憶部８０３に記憶されている放送局のチャネルＳｔｒとを比較し、さらに視聴者が入力した番組ＩＤと、すでに予告番組情報記憶部８０３に記憶されている番組ＩＤｒとを比較する。比較した結果、番組開始時刻ＴｓとＴｓｒとが等しく、かつ、予告希望番組を放送する放送局のチャネルＳｔとＳｔｒとが等しく、かつ、番組ＩＤとＩＤｒとが等しければ、予告番組重複検出部８０９は、予告番組の重複を検出し、予告番組重複信号Ｓｄｂ３を生成する。
【０１００】
予告番組内容変更検出部８０８は、視聴者が現に入力した上記番組特定情報（番組開始時刻Ｔｓ、放送局のチャネルＳｔ、番組ＩＤ）と、本実施例の番組情報通知装置がリアルタイムに受信する、番組情報信号Ｓｅｐｇ２に含まれる情報（番組開始時刻Ｔｓ’、放送局のチャネルＳｔ’、番組ＩＤ’）とを常にリアルタイムでそれぞれ比較している。放送局側の都合で番組開始時刻、放送局のチャネル、番組ＩＤのいずれかが変更され、その結果、視聴者が現に入力した番組特定情報と番組情報信号Ｓｅｐｇ２に含まれる情報に対して、いずれかが一致しない状態になると、予告番組内容変更検出部８０８は、番組内容の変更を検出して、予告番組内容変更信号を生成する。
【０１０１】
現在時刻発生部６０３と、通知時刻検出部６０８と、予告通知部６０９と、遅延通知部６１０とについては、第１の実施形態におけるそれらと同様の構成であるので参照番号を同一とし、それらの詳細な説明は省略する。
【０１０２】
通知内容選択部８１０は、予告番組重複検出部８０９が生成する予告番組重複信号Ｓｄｂ３、予告通知部６０９が生成する予告通知信号、遅延通知部６１０が生成する遅延通知信号、または予告番組内容変更検出部８０８が生成する番組内容変更信号にそれぞれ対応した通知内容を、予め格納されている複数の通知内容から選択する。映像音声信号生成部８１１は、通知内容選択部８１０が選択した通知内容を、モニタ７の画面及びスピーカを通じて、視聴者に視覚的及び聴覚的に通知するための映像音声信号を生成する。
【０１０３】
ＣＰＵ８０６は、番組情報通知部８００全体の動作を制御している。ＲＯＭ８０４は、ＣＰＵ８０６の制御動作のためのプログラムを格納している。ＲＡＭ８０７は、ＣＰＵ８０６が上記プログラムを実行するときに必要となるデータを記憶する。データバス８０５は、操作入力制御部８０１と、番組映像情報生成部８０２と、番組情報記憶部８０３と、現在時刻発生部６０３と、通知時刻検出部６０８と、予告通知部６０９と、遅延通知部６１０と、予告番組内容変更検出部８０８と、予告番組重複検出部８０９と、通知内容選択部８１０と、映像音声信号生成部８１１と、ＣＰＵ８０６と、ＲＯＭ８０４と、ＲＡＭ８０７とを相互に接続する。
【０１０４】
図１６及び図１７は、本実施形態における番組情報通知部８００の動作を示すフローチャートである。次に、これらの図１６及び図１７を参照して、番組情報通知部８００の動作について説明する。
【０１０５】
まず、番組映像情報生成部８０２は、アンテナ１が受信した放送波に含まれる番組情報信号Ｓｅｐｇ２に基づいて、番組表を表示するための映像情報を生成する（ステップＳ５００）。このサブルーチンステップＳ５００の詳細は、図１８に示されている。
【０１０６】
図１８において、番組映像情報生成部８０２は、まず、図１１に示した放送波に含まれる番組情報から必要な情報を抜き取る（ステップＳ５０１）。ここでいう必要な情報としては、視聴者が予告通知を希望する番組の放送日、当該番組を放送する放送局のチャネル、放送開始時刻、放送終了時刻、番組タイトル、番組ＩＤ等が挙げられる。次に、番組映像情報生成部８０２は、抜き取った当該番組データを記憶する（ステップＳ５０２）。番組映像情報生成部８０２は、視聴者の表示命令を検出するまでの間は、当該番組データを記憶したまま待機している（ステップＳ５０３）。視聴者の表示命令を検出すると、番組映像情報生成部８０２は、番組表を表示するための映像情報を生成し、データバス８０５に当該情報を出力する（ステップＳ５０４）。映像音声信号生成部８１１は、データバス８０５を介して入力した表示情報に基づいて映像信号を生成し、当該映像信号を表示内容重畳部５に出力する。応じて、モニタ７は、番組表を生成する。ここで表示される番組表の一例を図１９示した。視聴者は、この番組表を概観することによって、放送番組を容易に把握することができる。上記ステップＳ５０４の処理が終了すると、図１８に示す映像情報生成処理が終了し、番組情報通知部８００の動作は図１６のメインルーチンに戻る。
【０１０７】
再び図１６を参照して、視聴者は、予告通知を希望する番組特定情報を入力しようとするときは、リモコン２９を操作することにより、モニタ７に表示されている番組表（図１９参照）を入力画面に切り換える指示を番組情報通知部８００に与える。この切換指示に応答して、番組映像情報生成部８０２は、モニタ７の表示画面を、図１９に示す単なる表示画面から、図２０に示す入力画面に切り換える処理を行う（ステップＳ５１０）。すなわち、番組映像情報生成部８０２は、入力画面を表示するための映像信号を生成してデータバス８０５に出力する。図２０に示すように、入力画面は、図１９と同様の番組表に加えて、視聴者が入力した番組特定情報を確認のために表示する確認表示領域を含む。次に、視聴者がリモコン２９を操作して、番組特定情報（予告希望番組を放送する放送局のチャネルＳｔ、放送開始時刻Ｔｓ、インターバル時間Ｔａｄ、番組ＩＤ）を入力すると、番組情報通知部８００が当該番組情報を受信し、ＣＰＵ８０６がその受信情報を予告希望番組情報として受け付ける（ステップＳ５１１）。ＣＰＵ８０６が受け付けた予告希望番組情報は、番組情報記憶部８０３に記憶され（ステップＳ５１２）、図２０の入力画面の下部、すなわち前述した確認表示領域に表示される（ステップＳ５１３）。このように、予告番組に関する情報を確認表示領域に表示することによって、視聴者は、予告希望番組が正しく入力できたか否かを容易に判断することができる。予告希望番組が正しく入力されている場合、視聴者は、リモコン２９を操作して、通知セットを行う。ＣＰＵ８０６は、当該通知セットを受け取ると（ステップＳ５１４）、ステップＳ５１１で受け付けた予告希望番組情報、すなわち放送局のチャネルＳｔと、番組開始時刻Ｔｓと、インターバル時間Ｔａｄと、番組ＩＤとを番組情報記憶部８０３に格納する（ステップＳ５１５）。なお、入力画面の確認表示領域に表示された内容と、視聴者の意思とが異なっていれば、視聴者はステップＳ５１１に戻って、再度、番組情報を入力することができる。
【０１０８】
次に、予告番組重複検出部８０９は、そのとき視聴者が入力した番組開始時刻Ｔｓと、すでに番組情報記憶部８０３に記憶されている番組開始時刻Ｔｓｒとを比較し、さらに、そのとき視聴者が入力した予告希望番組の放送局チャネルＳｔと、すでに番組情報記憶部８０３に記憶されている放送局のチャネルＳｔｒとを比較し、さらに、そのとき視聴者が入力した番組ＩＤと、すでに番組情報記憶部８０３に記憶されている番組ＩＤｒとを比較し、その一致／不一致を判断する（ステップＳ５１６）。この比較の結果、番組開始時刻Ｔｓと、すでに記憶されているＴｓｒとが等しく、かつ、予告希望番組の放送局のチャネルＳｔと、すでに記憶されているＳｔｒとが等しく、かつ、番組ＩＤとすでに記憶されている番組ＩＤｒとが等しければ、予告番組重複検出部８０９は、予告番組重複信号Ｓｄｂ３が生成し、通知内容選択部８１０に出力する（ステップＳ５１７）。通知内容選択部８１０は、受け取った予告番組重複信号Ｓｄｂ２に応答して、自信の内部に予め格納されている複数の通知内容の中から、番組重複を示すための通知内容を選択し、選択した通知内容を映像音声信号生成部８１１に出力する。当該通知内容を受け取った映像音声信号生成部８１１は、当該通知内容をモニタ７で通知するための映像音声信号を生成する（ステップＳ５１８）。応じて、モニタ７は、当該映像音声信号に基づいて、画面上に映像を表示し、スピーカによって音声を発生させて、視聴者に予告番組の重複を通知する。
【０１０９】
一方、ステップＳ５１６での比較の結果、予告番組が重複していないと判断された場合、番組情報記憶部８０３は、視聴者が入力した番組開始時刻Ｔｓと放送局のチャネルＳｔとをそれぞれ番組開始時刻Ｔｓｒと放送局のチャネルＳｔｒとして記憶する（ステップＳ５１９）。
【０１１０】
次に、図１７を参照して、本実施形態における予告番組内容変更通知について説明する。まず、本実施形態では、受信する放送波には番組情報信号Ｓｅｐｇ２が含まれている。番組情報信号Ｓｅｐｇ２には、番組内容の変更に係る情報を含めることが可能である。本実施形態で受信する番組情報信号Ｓｅｐｇ２には、番組開始時刻情報Ｔｓ’と放送局のチャネルＳｔ’と番組ＩＤ’とが含まれている。ここで、番組開始時刻Ｔｓ’と放送局のチャネルＳｔ’と番組ＩＤ’とのいずれにも変更がない状態では、視聴者が入力した番組特定情報（番組開始時刻Ｔｓ、放送局のチャネルＳｔ、番組ＩＤ）と番組情報信号Ｓｅｐｇ２に含まれている番組情報（番組開始時刻Ｔｓ’、放送局のチャネルＳｔ’、番組ＩＤ’）との一致関係が成立している。従って、予告番組内容変更検出部８０８は、上記視聴者が入力した番組特定情報と、上記番組情報信号Ｓｅｐｇ２に含まれる番組情報とを比較することにより、番組内容が変更されたか否かを判断する（ステップＳ５２０）。この判断の結果、番組開始時刻Ｔｓ’、放送局のチャネルＳｔ’、または番組ＩＤ’のいずれかが変更された場合、次に、ＣＰＵ７０６は、通知条件が満たされているか否かを判断する（ステップＳ５２１）。通知条件とは、視聴者が、テレビジョン受像器の電源をＯＦＦからＯＮにしたこと、または、視聴者が視聴している番組が、ＣＭに移行したことである。通知条件が満たされていないと、ステップは進行せず、番組内容変更通知に係る信号生成動作は待機状態になる。一方、通知条件が満たされている場合、次に、予告番組内容変更検出部８０８は、番組内容変更信号を生成する（ステップＳ５２２）。
【０１１１】
当該番組内容変更信号に応答して、通知内容選択部８１０は、自信の内部に予め格納されている複数の通知内容の中から、番組内容の変更を示すための通知内容を選択し、データバス８０５を介して、映像音声信号生成部８１１に出力する（ステップＳ５２３）。当該通知内容を受け取った映像音声信号生成部８１１は、当該通知内容をモニタ７で通知するための映像音声信号を生成する。応じて、モニタ７は、当該映像音声信号に基づいて、画面上に映像を表示し、スピーカによって音声を発生させて、視聴者に予告番組内容の変更を通知する。図２１は当該通知内容の表示例を示している。
【０１１２】
なお、本実施例において、予告番組重複検出部８０９が、予告番組重複を検出したときは、視聴者が行う予告番組の番組情報の入力を禁止する旨を通知するとしたがこの限りではない。ＣＰＵ８０６は、視聴者が行う当該入力を受け付け、番組情報記憶部８０３に既に記憶されている番組情報を消去し、視聴者によって新たに入力された番組情報を番組情報記憶部８０３に記憶させるとしてもよい。また、本実施例において、予告番組重複通知と予告通知と遅延通知と番組内容変更通知とは、モニタ７の画面表示と音声との両方で行われるとしたが、いずれか一方によって通知を行うとしてもよい。また、本実施例において、この予告番組重複検出は、そのとき視聴者が入力した番組開始時刻Ｔｓと、すでに番組情報記憶部８０３に記憶されている番組開始時刻Ｔｓｒとを比較し、さらに、そのとき視聴者が入力した予告希望番組の放送局のチャネルＳｔと、すでに番組情報記憶部８０３に記憶されている放送局のチャネルＳｔｒと比較し、さらに、そのとき視聴者が入力した番組ＩＤと、すでに番組情報記憶部８０３に記憶されている番組ＩＤｒとを比較し、その一致／不一致を判断していたが、番組開始時刻ＴｓとＴｓｒとの比較のみをしてその一致／不一致を判断するとしてもよい。
【図面の簡単な説明】
【図１】本発明の第１の実施の形態に係る番組情報表示装置の構成を示すブロック図である。
【図２】本発明の第１の実施の形態に係る番組情報通知部６００の動作を示すフローチャートである。
【図３】図２のサブルーチンステップＳ２００の詳細を示すフローチャートである。
【図４】図２のサブルーチンステップＳ３００の詳細を示すフローチャートである。
【図５】どの通知内容が、いつ表示されるかを示すタイムテーブルである。
【図６】モニタ７に表示される予告番組重複通知の表示と、予告通知の表示と、ダウンカウント表示と、遅延通知表示とのそれぞれの例を、図５に対応させて示した図である。
【図７】本発明の第２の実施の形態に係る番組情報通知装置の構成を示すブロック図である。
【図８】本発明の第２の実施の形態に係る番組情報通知部７００の動作を示すフローチャートである。
【図９】本発明の第２の実施の形態に係る番組情報通知部７００の動作を示すフローチャートである。
【図１０】本発明の第２の実施の形態に係る番組映像情報を生成する過程を示すフローチャートである。
【図１１】放送波に含まれるＥＰＧデータの構成例を示す図である。
【図１２】 図１０に示した過程で生成される番組映像情報のうち番組表の一例を示す図である。
【図１３】図１０の番組表を切り換えて予告番組の番組特定情報を視聴者が入力するときに参照する入力画面を示す図である。
【図１４】本発明の第２の実施の形態に係る番組開始時刻変更通知の表示例を示した図である。。
【図１５】本発明の第３の実施の形態に係る番組情報通知装置の構成の一例を示すブロック図である。
【図１６】本発明の第３の実施の形態に係る番組情報通知部８００の動作を示すフローチャートである。
【図１７】本発明の第３の実施の形態に係る番組情報通知部８００動作を示すフローチャートである。
【図１８】本発明の第３の実施の形態に係る番組映像情報を生成する過程を示すフローチャートである。
【図１９】図１８に示した過程で生成される番組映像情報のうち番組表の一例を示す図である。
【図２０】 図１９の番組表を切り換えて予告番組の番組特定情報を視聴者が入力するときに参照する入力画面を示す図である。
【図２１】予告番組内容変更通知の表示例を示した図である。
【符号の説明】
１…アンテナ
２…チューナ
３…復調部
４…映像音声信号復調部
５…表示内容重畳部
６…表示制御部
７…モニタ
１０…番組情報信号抜取部
１１…エラー訂正部
１２…番組情報受信部
９，１９，２９…ワイヤレスリモコン
６００，７００，８００…番組情報通知部
６０１，７０１，８０１…操作入力制御部
７０２、８０２…番組映像情報生成部
６０２、７０３，８０３…番組情報記憶部
６０３…現在時刻発生部
６０４，７０４，８０４…ＲＯＭ
６０５，７０５，８０５…データバス
６０６，７０６，８０６…ＣＰＵ
６０７、７０７、８０７…ＲＡＭ
６０８…通知時刻検出部
６０９…予告通知部
６１０…遅延通知部
６１１、７０９，８０９…予告番組重複検出部
７０８…番組開始時刻変更検出部
８０８…予告番組内容変更検出部
６１２，７１０，８１０…通知内容選択部
６１３，７１１，８１１…映像音声信号生成部
【図１】
0004346127.tif 000002
【図２】
0004346127.tif 000003
【図３】
0004346127.tif 000004
【図４】
0004346127.tif 000005
【図５】
0004346127.tif 000006
【図６】
0004346127.tif 000007
【図７】
0004346127.tif 000008
【図８】
0004346127.tif 000009
【図９】
0004346127.tif 000010
【図１０】
0004346127.tif 000011
【図１１】
0004346127.tif 000012
【図１２】
0004346127.tif 000013
【図１３】
0004346127.tif 000014
【図１４】
0004346127.tif 000015
【図１５】
0004346127.tif 000016
【図１６】
0004346127.tif 000017
【図１７】
0004346127.tif 000018
【図１８】
0004346127.tif 000019
【図１９】
0004346127.tif 000020
【図２０】
0004346127.tif 000021
【図２１】
0004346127.tif 000022